(57)【要約】【課題】液体芳香消臭剤の使用過程で溶液が濃縮化されても揮散性を妨げる物性の変化が起こりにくく、最後まで香料が安定して揮散し、一定の香りが持続する液体芳香消臭剤を提供する。【解決手段】界面活性剤を用いて香料などの油性物質を可溶化した液体芳香消臭剤に、炭酸プロピレンを０．５〜５．０重量％配合する液体芳香消臭剤組成物。【選択図】なし【特許請求の範囲】
【請求項１】
炭酸プロピレンを含有する液体芳香消臭剤組成物。
【請求項２】
炭酸プロピレン０．５〜５．０重量％を含有する請求項１に記載の液体芳香消臭剤組成物。
【発明の詳細な説明】
【技術分野】
【０００１】
本発明は液体芳香消臭剤組成物に関するものであり、さらには揮散性に優れた液体芳香消臭剤組成物に関する。
【背景技術】
【０００２】
芳香消臭剤には液体、固体およびエアゾールなど、種々の形態が知られている。これらの中で液体タイプは、オイルベース、アルコールベースおよび水ベースに大別され、芳香成分や消臭成分の揮散方法は毛細管現象を利用し、パルプや合成繊維などで出来た芯材を利用して液を吸い上げ、開放された揮散体に導き、自然揮散させる方法や熱をかけたりファンなどで風をあて強制的に揮散させる方式などが知られている。市場ではコスト、簡便性などの理由から水ベースで自然揮散させる方法が主流となっている。このタイプでは、香料が本質的に水に難溶性であるため界面活性剤を用いて香料を水に可溶化し、パルプ、合成繊維などで出来た吸液性のある芯材を介して、内溶液を揮散させる事により機能を発揮している。香料を界面活性剤を用いて水に可溶化する技術は、化粧品、医薬品などの産業分野で広く応用されている技術で、界面活性剤としては低濃度からミセルを形成しやすい非イオン性界面活性剤が好ましい事（非特許文献１）や、酸化プロピレンや酸化エチレン付加型の非イオン界面活性剤とグリセリン、１，３−ブチレングリコールなどのポリオールとの組合せが好適である旨記述されている（非特許文献２）。従って現在の液体芳香消臭剤には主として非イオン性界面活性剤が可溶化剤として使われている。しかしながら界面活性剤は本質的に不揮発性であり、液が毛管現象により吸い上げられ、揮散体の開放面から香料や水が蒸散した後に揮散体に残留蓄積し、次第に吸液性や揮散性を低下させ、香料が最後まで揮散せずに残ってしまうという問題点が残されている。使用する界面活性剤の量を低下させれば残留蓄積する量が減少し、吸液性や揮散性への悪影響も少なくなるが、香料を十分可溶化出来なかったり、安定性に問題が発生する。このような問題点を解決するために可溶化に使用する界面活性剤や吸液材や揮散性構造物からの改善が提案されている。例えば、アルキル置換フェノールのアルキレンオキサイド付加体を用いる事により優れた可溶化能を実現できる（特許文献１）、また、直鎖アルキルベンゼンスルホン酸塩と第２級アルコール酸化エチレン付加物およびノニルフェノール酸化エチレン付加物、他の組み合わせによる保存安定性が良好で香りの質および持続性が良好な液体芳香剤組成物（特許文献２）、また、酸化エチレンの付加モル分布が特定の条件より狭い末端封鎖型の非イオン界面活性剤を配合することを特徴とする液体芳香消臭剤組成物（特許文献３）、また、吸液材や揮散構造体の材質を変更することによる効率的な揮散を狙ったもの（特許文献４）など多くの提案がなされてきた。しかし、特許文献１および３に開示されている技術内容はかなり特殊な界面活性剤を使用するため、コスト、汎用性に問題があり、また、特許文献２に開示されている技術は本質的に香料を可溶化した液体芳香剤の着色や分離に対する安定性を高めるための技術である。また、特許文献４に開示されている吸液材および揮散構造体は異種の合成樹脂が芯鞘構造を取っているような特殊な繊維を使用するものである。
【０００３】
【非特許文献１】日本油化学会誌，４９（１１，１２），１３８３〜１３９０（２０００）
【非特許文献２】最新・界面活性剤応用技術、刈米孝夫編集、（株）シーエムシー発行、１９９０年
【特許文献１】特開昭５７−７０１９７号公報
【特許文献２】特開昭６３−１８９１５４号公報
【特許文献３】特開２０００−１７５９９６号公報
【特許文献４】特開２００５−５８５５０号公報
【発明の開示】
【発明が解決しようとする課題】
【０００４】
従来提案されている液体芳香消臭剤にかかわる技術は、特殊な界面活性剤を用いたり、あるいは、特殊な部材を用いているため経済性に問題があり、また、使用過程で避けられない吸液性能または揮散性能の低下に対する改善において十分満足できるものではなかった。
【０００５】
香料を界面活性剤で可溶化した溶液が吸液芯に吸い上げられ揮散部材表面またはその内部で揮散成分（香料、エタノール、水など）が揮散、濃縮化する過程で、液晶相、ゲル相、結晶析出など様々な様相を呈する。これら諸相の物性は、使用される界面活性剤の種類、濃度、香料の種類、他の添加物などにより複雑に影響を受け、吸液性能や揮散性能に影響を与えている。従って、本発明が解決しようとする課題は、液体芳香消臭剤の使用過程で溶液が濃縮化されても揮散性を妨げる物性の変化が揮散体表面などで起こりにくく、結果として吸上げ芯や揮散部材の目詰まりが少なく、最後まで香料が安定して揮散し、一定の香りが得られる液体芳香消臭剤を提供することにある。
【課題を解決するための手段】
【０００６】
本発明者らは上記課題を解決するために鋭意研究を行った結果、香料などを界面活性剤を用いて可溶化した液体芳香消臭剤に、炭酸プロピレンを配合することにより最後まで香料、水などの成分が安定して揮散することを見出し、本発明を完成した。
【０００７】
即ち、本発明は、界面活性剤を用いて香料などの油性物質を可溶化した液体芳香消臭剤に、炭酸プロピレンを０．５〜５．０重量％配合する液体芳香消臭剤組成物を提供するものである。
【発明の効果】
【０００８】
本発明の液体芳香消臭剤組成物によれば、使用過程で香料や水などの成分が揮散することにより液体芳香消臭剤組成物が濃縮されても、揮散体表面で該液体芳香消臭剤組成物の物性の変化が起こりにくく、結果として吸上げ芯や揮散部材の目詰まりが少なく、最後まで香料が安定して揮散することにより、揮散終了時の香料残渣を低減させる効果を有すると共に、当初の香りの質が最後まで持続する消費者満足度の高い液体芳香消臭剤組成物が提供できる。
【発明を実施するための最良の形態】
【０００９】
本発明の液体芳香消臭剤組成物は必須成分として炭酸プロピレンを含む。炭酸プロピレンの配合量は０．５〜５．０重量％である。炭酸プロピレンの配合量が０．５重量％以下では使用過程での液体芳香消臭剤組成物の揮散性を妨げる物性変化の防止効果が無く、最後まで香料の安定な揮散を持続させる効果が発揮できない。また、５．０重量％以上の配合量では、香料の安定な揮散を持続する効果は良好ではあるが、炭酸プロピレンは不揮発性物質であるためその配合量を増すと共にむしろ液体芳香消臭剤組成物の揮散残渣が増すこととなり好ましくない。
【００１０】
本発明の液体芳香消臭剤に使用される香料および香料を可溶化するための界面活性剤は特に限定されない。通常、香料などの可溶化のために用いられる界面活性剤は，非イオン性界面活性剤、アニオン性界面活性剤などが単独、又は混合して用いられる。例えば、非イオン性界面活性剤としては、ＨＬＢが９〜１８、好ましくは１０〜１６の界面活性剤、もしくは異なるＨＬＢの界面活性剤を組み合わせてＨＬＢが１０〜１６になるような組み合わせが用いられる。
【００１１】
例えば、ポリオキシエチレンアルキルフェニルエーテル（エチレンオキシドの平均付加モル数が５〜２０のもの）、ポリオキシエチレンアルキルエーテル（エチレンオキシドの平均付加モル数が２〜３０のもの）、ポリエチレングリコール脂肪酸エステル（エチレンオキシドの平均付加モル数が２〜１０のもの）、ポリオキシエチレン水添ヒマシ油（エチレンオキシドの平均付加モル数が１０〜６０のもの）、ポリグリセリン脂肪酸エステル、ポリオキシエチレンソルビタン脂肪酸エステル（エチレンオキシドの平均付加モル数が６〜２０のもの）、蔗糖脂肪酸エステル、アルキルグリコシド、脂肪酸アルカノールアミドなどが挙げられ、これらの非イオン性界面活性剤のアルキル基は、炭素数１２〜１８のものが好適であり、直鎖、分岐鎖の適当な鎖長のものが、可溶化能、可溶化安定性の観点から選ばれ適宜使用される。
【００１２】
また、アニオン性界面活性剤としては、例えば、アルキル基の鎖長が炭素数６〜１２の、アルキルベンゼンスルホン酸塩、アルカンスルホン酸塩、アルキル硫酸エステル塩、ポリオキシエチレンアルキルエーテル硫酸エステル塩（エチレンオキシドの平均付加モル数が１〜８のもの）、アルキルリン酸エステル塩、ポリオキシエチレンアルキルリン酸エステル塩（エチレンオキシドの平均付加モル数が１〜８のもの）、アルキルスルホコハク酸塩、ポリオキシエチレンアルキルエーテルカルボン酸塩（エチレンオキシドの平均付加モル数が１〜１０のもの）、アルキロイルサルコシン塩、アルキロイルメチルタウリン塩、アルキルイセチオン酸エステル塩、アルキロイルグルタミン酸塩などを挙げることができる。これらのアニオン性界面活性剤の対イオンとしては、ナトリウム、カリウムなどのアルカリ金属、アンモニア、モノエタノールアミン、ジエタノールアミン、トリエタノールアミン、トリイソプロパノールアミンなどのアルカノールアミン類などが用いられる。
【００１３】
本発明に用いる香料としては、特に制限されるものではなく、いずれの香料も使用する事ができる。具体的には、炭化水素類としては、例えば、オシメン、α−ピネン、β−ピネン、カンフェン、ミルセン、ジヒドロミルセン、リモネン、テルピノーレン、α−フェランドレン、ｐ−サイメン、β−カリオフィレン、β−ファルネセン、ビサボレン、セドレン、バレンセン、ツヨプセン、ロンギホレンなどを挙げることができる。
【００１４】
アルコール類としては、例えば、リナロール、ゲラニオール、ネロール、シトロネロール、ミルセノール、ラバンジュロール、ムゴール、テトラヒドロリナロール、ヒドロキシシトロネロール、ジヒドロミルセノール、テトラヒドロミルセノール、３，６−ジメチル−３−オクタノール、エチルリナロール、テルピネオール、ジヒドロテルピネオール、ｌ−メントール、カルベオール、ペリラアルコール、４−ツヤノール、ミルテノール、α−フェンキルアルコール、ファルネソール、ネロリドール、セドレノール、シス−３−ヘキセノール、１−ウンデカノール、２−ウンデカノール、１−ドデカノール、プレノール、１０−ウンデセノール、２，４−ジメチル−３−シクロヘキセン−１−メタノール、ｐ−ｔ−ブチルシクロヘキサノール、サンダロール(Ｇｉｖａｕｄａｎ社商品名)、バクダノール（ＩＦＦ社商品名）、フェニルエチルアルコール、ヒドロトロパアルコール、アニスアルコール、３−フェニルプロピルアルコール、シンナミックアルコール、アミルシンナミックアルコールなどを挙げることができる。
【００１５】
アルデヒド類としては、例えば、シトラール、ゲラニアール、ネラール、シトロネラール、ヒドロキシシトロネラール、α−メチレンシトロネラール、ミルテナール、シトロネリルオキシアセトアルデヒド、３，７−ジメチルオクタナール、アセトアルデヒド、ｎ−ヘキサナール、ｎ−ヘプタナール、ｎ−オクタナール、ｎ−ノナナール、２−メチルオクタナール、ｎ−デカナール、ウンデカナール、２−メチルデカナール、ドデカナール、テトラデカナール、シス−３−ヘキセナール、トランス−２−ヘキセナール、２，６−ジメチル−５−ヘプテナール、シス−４−デセナール、トランス−２−デセナール、１０−ウンデセナール、トランス−２−ウンデセナール、トランス−２−ドデセナール、３−ドデセナール、２，４−ヘキサジエナール、２，４−デカジエナール、２，４−ドデカジエナール、シクロシトラール、ジメチルテトラヒドロベンズアルデヒド、シトラールジメチルアセタール、シトラールジエチルアセタール、シトラールプロピレングリコールアセタール、シトロネラールシクロモノグリコールアセタール、アセトアルデヒドエチルリナリルアセタール、ヒドロキシシトロネラールジメチルアセタール、オクタナールジメチルアセタール、ノナナールジエチルアセタール、デカナールジメチルアセタール、デカナールジエチルアセタール、２−メチルウンデカナールジメチルアセタール、ベンズアルデヒド、ｐ−イソプロピルフェニルアセトアルデヒド、ｐ−イソプロピルヒドラトロパルアルデヒド、シクラメンアルデヒド、フェニルプロピルアルデヒド、シンナミックアルデヒド、アニスアルデヒド、ｐ−メチルフェノキシアセトアルデヒド、ベンズアルデヒドジエチルアセタール、アミルシンナミックアルデヒドジエチルアセタール、ヘリオトロピンジメチルアセタール、アセトアルデヒドエチルフェニルエチルアセタール、アセトアルデヒド２−フェニル−２，４−ペンタンジオールアセタール、フェニルアセトアルデヒドジメチルアセタールなどを挙げることができる。
【００１６】
ケトン類としては、例えば、カンファー、メントン、ピペリテノン、ゲラニルアセトン、アセチルセドレン、ヌートカトン、ヨノン、メチルヨノン、アリルヨノン、イロン、ダマスコン、ダマセノン、イソダマスコン、２−ペンタノン、３−ヘキサノン、２−ヘプタノン、３−ヘプタノン、４−ヘプタノン、２−オクタノン、３−オクタノン、２−ノナノン、３−ノナノン、２−ウンデカノン、２−トリデカノン、メチルヘプテノン、ジメチルオクテノン、メチレンテトラメチルヘプタノン、２，３−ヘキサジオン、２−シクロペンチルシクロペンタノン、エチルマルトール、２，５−ジメチル−４−ヒドロキシフラノン、ｐ−メチルアセトフェノン、ｐ−メトキシアセトフェノン、ベンジリデンアセトン、ラズベリーケトン、メチルナフチルケトン、ベンゾフェノン、２，５−ジメチル−４−ヒドロキシ−３（２Ｈ）−フラノン、３−ヒドロキシ−４，５−ジメチル−２（５Ｈ）−フラノン、ホモフロナール（Ｇｉｖａｕｄａｎ社商品名）、マルトール、エチルマルトール、４，７−ジヒドロ−２−イソペンチル−２−メチル−１，３−ジオキセピン、アセト酢酸エチルエチレングリコールケタールなどを挙げることができる。
【００１７】
エステル類としては、例えば、ギ酸エチル、ギ酸プロピル、ギ酸オクチル、ギ酸リナリル、ギ酸シトロネリル、ギ酸ゲラニル、ギ酸ネリル、ギ酸テルピニル、酢酸エチル、酢酸イソプロピル、酢酸シス−３−ヘキセニル、酢酸トランス−２−ヘキセニル、酢酸オクチル、酢酸ノニル、酢酸デシル、酢酸ドデシル、酢酸ジメチルウンデカジエニル、酢酸オシメニル、酢酸ミルセニル、酢酸ジヒドロミルセニル、酢酸リナリル、酢酸シトロネリル、酢酸ゲラニル、酢酸ネリル、酢酸テトラヒドロムゴール、酢酸ラバンジュリル、酢酸ネロリドール、酢酸ジヒドロクミニル、酢酸テルピニル、酢酸シトリル、酢酸ノピル、酢酸ジヒドロテルピニル、酢酸３−ペンテニルテトラヒドロピラニル、酢酸ミラルディル、酢酸２，４−ジメチル−３−シクロヘキセニルメチル、プロピオン酸デセニル、プロピオン酸リナリル、プロピオン酸ゲラニル、プロピオン酸ネリル、プロピオン酸テルピニル、プロピオン酸トリシクロデセニル、プロピオン酸スチラリル、酪酸オクチル、酪酸ネリル、酪酸シンナミル、イソ酪酸エチル、イソ酪酸イソプロピル、イソ酪酸シス−３−ヘキセニル、イソ吉草酸フェニルエチル、３−ヒドロキシヘキサン酸メチル、安息香酸メチル、安息香酸ゲラニル、安息香酸リナリル、桂皮酸メチル、桂皮酸エチル、桂皮酸リナリル、フェニル酢酸メチル、フェニル酢酸エチル、フェニル酢酸オイゲニル、フェニル酢酸ゲラニル、フェニル酢酸シトロネリル、フェニル酢酸メンチルサリチル酸アミル、ヘキサン酸リナリル、ヘキサン酸シトロネリル、オクタン酸リナリル、アンゲリカ酸イソプレニル、ゲラン酸メチル、ゲラン酸エチル、シクロゲラン酸メチル、アセト酢酸エチル、２−ヘキシルアセト酢酸エチル、ベンジルアセト酢酸エチル、２−エチル酪酸アリル、３−ヒドロキシ酪酸エチル、などを挙げることができる。
【００１８】
フェノール類としては、例えば、チモール、カルバクロール、β−ナフトールイソブチルエーテル、アネトール、β−ナフトールメチルエーテル、β−ナフトールエチルエーテル、グアヤコール、クレオゾール、ベラトロール、ハイドロキノンジメチルエーテル、２，６−ジメトキシフェノール、４−エチルグアヤコール、オイゲノール、イソオイゲノール、エチルイソオイゲノール、ｔｅｒｔ−ブチルハイドロキノンジメチルエーテルなどを挙げることができる。
【００１９】
エーテル類としては、例えば、デシルビニルエーテル、α−テルピニルメチルエーテル、イソプロキセン（ＩＦＦ社商品名）、２，２−ジメチル−５−(１−メチル−１−プロペニル)−テトラヒドロフラン、ローズフラン、１，４−シネオール、ネロールオキサイド、２，２，６−トリメチル−６−ビニルテトラヒドロピラン、メチルヘキシルエーテル、オシメンエポキシド、リモネンオキサイド、ルボフィクス（Ｆｉｒｍｅｎｉｃｈ社商品名）、カリオフィレンオキサイド、リナロールオキサイド、５−イソプロペニル−２−メチル−２−ビニルテトラヒドロフラン、テアスピラン、ローズオキサイドなどを挙げることができる。
【００２０】
ラクトン類としては、例えば、γ−ウンデカラクトン、δ−ドデカラクトン、γ−ヘキサラクトン、γ−ノナラクトン、γ−デカラクトン、γ−ドデカラクトン、ジャスミンラクトン、メチルγ−デカラクトン、ジャスモラクトン、プロピリデンフタリド、δ−ヘキサラクトン、δ−２−デセノラクトン、ε−ドデカラクトン、ジヒドロクマリン、クマリンなどを挙げることができる。
【００２１】
酸類としては、例えば、安息香酸、フェニル酢酸、フェニルプロピオン酸、桂皮酸、フタール酸、アビエチン酸、バニリン酸、ピロガロールなどを挙げることができる。
【００２２】
合成ムスクとしては、例えば、ムスコン、シクロペンタデカノン、５−シクロヘキサデセン−１−オン、シクロペンタデカノリド、アンブレットリド、シクロヘキサデカノリド、ムスクアンブレット、６−アセチルヘキサメチルインダン、６−アセチルヘキサテトラリン、ガラクソリド（ＩＦＦ社商品名）などを挙げることができる。
【００２３】
又、天然香料としては、例えば、アビエス、アンブレット・シード、アンジェリカ、アニス、アルモアゼ、ベージル、ベイ、ベルガモット、バーチ、ボア・ド・ローズ、カラムス、カンファー、カナンガ、キャラウェイ、カルダモン、カシア、シダーウッド、カモミル、シトロネラ、コスタス、クミン、ディル、エレミ、ユーカリ、ガルバナム、ゼラニウム、ジンジャー、グレープフルーツ、グアイアック、ガーデニア、ひのき、ホウショウ、ヒアシンス、ジャスミン、ジュニパ・ベリー、ラブダナム、ラバンジン、ラベンダー、レモン、レモングラス、ライム、リナロエ、ミモザ、ミント、オークモス、オレンジフラワー、イリス、パチョリ、パルマローザ、ペパーミント、ローズ、クラリー・ゼージ、サンダル、チュベローズ、ベチバー、スミレ、イラン・イランなどの精油などを挙げることができる。
【００２４】
その他、香料化学総覧，１，２，３［奥田治著  廣川書店出版］、Ｐｅｒｆｕｍｅ  ａｎｄ  ｆｌａｖｏｒ  Ｃｈｅｍｉｃａｌｓ，１，２［Steffen Arctander著］、合成香料［印藤元一著  化学工業日報社出版］などに記載の香料化合物を挙げることができる。  
本発明の液体芳香消臭剤組成物に対する香料組成物の添加量に関しては、使用する香料の種類、所望する揮散状態などにより異なり一概には規定することはできないが、一般的には、０．３〜３０重量％の賦香率で配合することができ、好ましくは、０．５〜１０重量％の範囲を例示することができる。
【００２５】
本発明の液体芳香消臭剤組成物には、本発明の効果を妨げない事を限度として、通常芳香剤組成物に使用されている各種添加物を配合する事が出来る。かかる添加物としては、例えば、金属イオン封鎖剤、ｐＨ調整剤、酸化防止剤、防腐剤、防臭剤、抗菌剤、両性界面活性剤、溶剤、ハイドロトロープ剤、紫外線吸収剤、色素、防虫剤、殺虫剤、忌避剤などを配合する事が出来る。
【００２６】
本発明の液体芳香消臭剤組成物の製造方法としては、特に制限されることなく、一般の界面活性剤を用いた油性成分の可溶化プロセスで良く、即ち、所定量の炭酸プロピレンに香料、界面活性剤を混合し、必要なら加温またはエタノールなどの溶剤を加え均一にする、これを所定量の水に必要なら加温し、撹拌しながら添加し、透明な可溶化液を得ることが出来る。
【００２７】
以下、実施例により本発明の実施の態様を更に具体的に説明する。なお、これらの実施例は本発明をなんら限定するものではない。
【実施例】
【００２８】
（実施例１〜２および比較例１〜６）
表１及び表２に示した配合処方により液体芳香消臭剤組成物を調製して、香料の揮散性について試験した。揮散性試験の結果を表１及び表２に示す。但し、表１及び表２中の配合量は重量％である。  
（配合方法）
香料、界面活性剤、エタノールおよび溶剤を良く撹拌して均一にする。これを所定量の水に撹拌しながら加え、透明な液体芳香消臭剤組成物を得る。  
（揮散試験）
上記で得られた液体芳香消臭剤組成物を内径５８ｍｍ、深さ１５ｍｍのシャーレに１５．０ｇ量り取り、２５℃の恒温室で自然揮散させる。１６４時間後、ほぼ恒量になったところで揮散残渣を求め、計算上の不揮発分との差分から香料の残留分を計算する。ここで不揮発分として計算されるものは、界面活性剤Ａ、Ｂ、Ｃ、Ｄ及び炭酸プロピレン、エチレングリコール、ジプロピレングリコールである。
【００２９】
表１及び表２から明らかな様に、炭酸プロピレンを配合することにより、揮散性を妨げる物性変化が抑制され香料の安定な揮散が最後まで行われるため、揮散終了時に残留する香料の量を低減させる効果は明らかである。表１の実施例１と比較例１〜３は非イオン性界面活性剤で可溶化を行った系であるが、エチレングリコールやジプロピレングリコールおよびこれら溶剤を配合しない場合に比べて、炭酸プロピレンを配合した場合は、揮散終了時に残留する香料が明らかに少ない。また、表２の実施例２と比較例４〜６はアニオン性界面活性剤で可溶化した系についての評価結果であるが、実施例１と同様に炭酸プロピレンの配合により香料の安定な揮発が最後まで行われ、揮散終了時に残留する香料の量を低減させる効果は明白であった。これとは別に、実施例１及び実施例２の配合処方の内、香料を配合しなかった場合についても揮散試験を行ったところ、揮散残渣の実測値はほぼ計算量と一致した。
【００３０】
【表１】
2007097943.tif 000002
【００３１】
【表２】
2007097943.tif 000003
【００３２】
香料Ａ        ：オレンジＮｏ７７６９長谷川香料社製
界面活性剤Ａ  ：ポリオキシエチレンオレイルエーテル（エチレンオキシドの平均付加モル数は２０）
界面活性剤Ｂ  ：ジオクチルスルホコハク酸ナトリウム
界面活性剤Ｃ  ：直鎖ドデシルベンゼンスルホン酸ナトリウム
界面活性剤Ｄ  ：イソステアリン酸ジエタノールアミド
揮散残渣（実測値％）：１６４時間後のほぼ恒量になった時の値
計算上の不揮発分（％）：不揮発分は界面活性剤と溶剤（エタノール以外の）として計算
香料残留分（％）：揮散残渣−計算上の不揮発分
【００３３】
（実施例３〜６および比較例７〜１０）
表３に示した配合処方により、炭酸プロピレンの配合量を変化させて液体芳香消臭剤組成物を調製し、実施例１〜２と同様の方法で揮散性を試験した。揮散性試験の結果を表３に示した。但し、表３中の配合量は重量％である。  
表３から明らかな様に炭酸プロピレンを０．５重量％以上配合すると、香料の揮散残留分を低減させる効果があることが確認された。また、炭酸プロピレンが５．０重量％を超えると香料の揮散残留分の低減効果の割りに不揮発性物質である炭酸プロピレンの配合量の増加に伴い液体芳香消臭剤組成物の揮散残渣の量が増えるたことがわかる。
【００３４】
【表３】
2007097943.tif 000004
【００３５】
香料Ｂ      ：フローラルブーケＮｏ８３１５長谷川香料社製
界面活性剤Ｃ：直鎖ドデシルベンゼンスルホン酸ナトリウム
界面活性剤Ｄ：イソステアリン酸ジエタノールアミド
【００３６】
（実施例７および比較例１１）
下記の処方で液体芳香消臭剤組成物を配合して下記の方法で揮散性を比較した。但し、下記処方の配合量は重量％である。
処方
実施例７              比較例１１
香料Ｃ                          １．５０              １．５０
９５ｖ／ｖ  ％エタノール        ５．００              ５．００
界面活性剤Ｃ                    １．１３              １．１３
界面活性剤Ｄ                    ０．３７              ０．３７
炭酸プロピレン                  １．５０              ０．００
精製水                              残部                  残部
１００．００         １００．００
香料Ｃ      ：フルーティフローラルＮｏ５４２５長谷川香料社製
界面活性剤Ｃ：直鎖ドデシルベンゼンスルホン酸ナトリウム
界面活性剤Ｄ：イソステアリン酸ジエタノールアミド
【００３７】
揮散性試験
上記処方の液体芳香消臭剤組成物をパルプ製の吸上げ芯および揮散体を装着したプラスチックボトルに４００ｇ充填し、２５℃の恒温室で自由揮散させ、揮散経過を重量変化で測定した。揮散体の開放部分の面積は１３５ｃｍ２である。試験の結果を図１に示す。
【００３８】
炭酸プロピレンを配合した実施例７は炭酸プロピレンを含まない比較例１１に比べ、香料の安定な揮散が最後まで継続し、その揮散性が優れていることが明らかとなった。また、香りの質を比較したところ、実施例７は実験開始直後のバランス良い香りが最後まで持続していたが、比較例１１は時間の経過と共に香気のバランスが崩れ、最終的には香気の変質も見られた。
【図面の簡単な説明】
【００３９】
【図１】炭酸プロピレンの揮散性に及ぼす効果を示した説明図である。（実施例７及び比較例１１）
【図１】
2007097943.tif 000005